(57)【特許請求の範囲】
【請求項１】
地面上に設置される支持台に対し左右に延びる軸心回りに回動自在となるよう支承される回動軸と、この回動軸から径方向の外方に向って突出しその突出端部が球受部とされた投球アームとを備え、上記回動軸からその後方に向ってほぼ水平に突出する上記投球アームの球載置姿勢で、上記球受部が、上面に球を載置可能とさせる球受部本体と、この球受部本体の上記回動軸側の部分に取り付けられ上記球受部本体に載置された球が上記回動軸側に向って所定位置以上に転動することを阻止するストッパとを備え、上記投球アームを上記球載置姿勢にさせた後、上記回動軸の上方を通り前方に向って高速回動させることにより、上記球受部に載置されていた球を前方に向って投球させるようにした野球練習用のアーム式投球機において、
上記投球アームの長手方向で上記ストッパの位置を任意位置に調整自在とし、
上記球受部本体の上記回動軸側の部分に、上記投球アームの長手方向に沿って複数のボルト挿通孔を成形し、上記ストッパが、上記ボルト挿通孔のうちのいずれかに選択的に挿通されて上記球受部本体に締結されるボルト部材を備えた野球練習用のアーム式投球機における投球アーム構造。
【発明の詳細な説明】
【０００１】
【発明が属する技術分野】
本発明は、回動軸に突設された投球アームを上記回動軸の軸心回りで高速回動させることにより、この投球アームの突出端部の球受部に載置させてある球を、打撃練習する打者等に対し投球させるようにした野球練習用のアーム式投球機における投球アーム構造に関するものである。
【０００２】
【従来の技術】
上記投球機には、従来、特開平１０−１１３４１３号公報で示されたものがある。
【０００３】
上記公報のものによれば、上記投球機は、地面上を移動自在とされる台車と、この台車に支持され外部から１つずつ供給される球を順次前方に向って投球可能とする投球機本体と、この投球機本体に上記球を１つずつ供給可能とする球供給部材とを備えている。
【０００４】
上記投球機本体は、上記台車に取り付けられる支持台と、この支持台に対し左右に延びる軸心回りに回動自在となるよう支承される回動軸と、この回動軸からその径方向の外方に向って突出しその突出端部の球受部に球が載置可能とされる投球アームと、上記回動軸から後方に突出する第１姿勢の上記投球アームが上記回動軸の上方を通りこの回動軸から前方に突出する第２姿勢になるまで、上記投球アームを高速で往回動させるよう付勢するコイルばねと、上記第２姿勢の投球アームが上記回動軸の下方を通り上記第1姿勢に戻るまで、上記ばねの付勢力に抗しながら上記投球アームを復回動させるよう回動させる駆動手段とを備えている。
【０００５】
上記球受部は、上面に球を載置可能とさせる球受部本体と、この球受部本体の上記回動軸側の部分に取り付けられ上記球受部本体に載置された球が上記回動軸側に向って所定位置以上に転動することを阻止するストッパとを備えている。また、上記投球機本体はその投球方向の仰角が調整自在とされている。
【０００６】
そして、上記投球アームを高速で往回動させれば、上記球受部に載置されていた球が前方に向って投球されるようになっている。また、この場合、上記投球機本体の投球方向の仰角を調整すれば、この投球機本体による投球方向が高、低調整される。
【０００７】
【発明が解決しようとする課題】
ところで、上記投球機の投球機本体によって投球される球に対し打撃練習をしようとするとき、投球される球が曲がりの大きい放物線、もしくは小さい放物線を描く各球種のうち、いずれかを選択し、その球種の球に対し打撃練習を行いたいことがある。
【０００８】
しかし、上記従来の技術の投球機によって、上記した放物線を描く各球種のうち、いずれかを選択しようとすれば、上記投球機本体による投球方向の仰角を大きくさせるなど調整すると共に、上記ばねの付勢力を小さくさせるなど上記投球アームの往回動時の速度を調整することが必要となる。しかし、このような調整の操作は煩雑であることから、上記球種のうち、いずれかを選択するという操作は煩雑となっている。
【０００９】
本発明は、上記のような事情に注目してなされたもので、投球機によって投球される球が曲がりの大きい放物線、もしくは小さい放物線を描くという各球種のうち、いずれかを選択する、という操作が容易にできるようにすることを課題とする。
【００１０】
また、上記した球種の選択のための操作を容易にさせることが、簡単な構成によって達成されるようにすることを課題とする。
【００１１】
【課題を解決するための手段】
上記課題を解決するための本発明の野球練習用のアーム式投球機における投球アーム構造は、次の如くである。なお、この項において各用語に付記した符号は、本発明の技術的範囲を後述の「発明の実施の形態」の項の内容に限定解釈するものではない。
【００１２】
請求項１の発明は、地面２上に設置される支持台２０に対し左右に延びる軸心２１回りに回動自在となるよう支承される回動軸２３と、この回動軸２３から径方向の外方に向って突出しその突出端部が球受部２７とされた投球アーム２４とを備え、上記回動軸２３からその後方に向ってほぼ水平に突出する上記投球アーム２４の球載置姿勢で、上記球受部２７が、上面に球４を載置可能とさせる球受部本体３２と、この球受部本体３２の上記回動軸２３側の部分に取り付けられ上記球受部本体３２に載置された球４が上記回動軸２３側に向って所定位置以上に転動することを阻止するストッパ３３とを備え、上記投球アーム２４を上記球載置姿勢にさせた後、上記回動軸２３の上方を通り前方に向って高速回動させることにより、上記球受部２７に載置されていた球４を前方に向って投球させるようにした野球練習用のアーム式投球機において、
【００１３】
上記投球アーム２４の長手方向で上記ストッパ３３の位置を任意位置に調整自在とし、
【００１４】
上記球受部本体３２の上記回動軸２３側の部分に、上記投球アーム２４の長手方向に沿って複数のボルト挿通孔３５を成形し、上記ストッパ３３が、上記ボルト挿通孔３５のうちのいずれかに選択的に挿通されて上記球受部本体３２に締結されるボルト部材３７を備えたものである。
【００１５】
【発明の実施の形態】
以下、本発明の実施の形態を図面により説明する。
【００１６】
図において、符号１は野球練習用のアーム式投球機であり、矢印Ｆｒはこの投球機１による投球方向の前方を示し、下記する左右とは上記前方に向っての方向をいうものとする。
【００１７】
上記投球機１は、野球練習用の地面２上を所望方向に移動自在とされる台車３と、この台車３に支持され外部から１つずつ供給される球４を順次前方に向って投球可能とする投球機本体５と、この投球機本体５に上記球４を１つずつ供給可能とする球供給部材６とを備えている。
【００１８】
上記台車３は、車台９と、この車台９の前、後部にそれぞれ支承され左右一対の車輪１０,１０とを備え、これら各車輪１０によって上記車台９が移動自在となるよう地面２上に支持されている。また、上記車台９は、上記各車輪１０によって上記地面２上に支持される基台１１と、この基台１１の上方近傍に配置されてほぼ水平に延び、前後方向における一端部（後端部）が上下に揺動Ａ自在となるよう他端部（前端部）が上記基台１１に枢支軸１２により枢支される揺動台１３と、投球機１の側面視（図１）で、上記揺動台１３が水平面に対し所望の傾斜角となるようこの揺動台１３を上記基台１１に支持させるねじジャッキ１４とを備えている。
【００１９】
上記基台１１はフレーム材を直方体形状に枠組みしたもので、その内部が物入れ空間１５とされ、上記基台１１の外部（後方）から上記物入れ空間１５に対し球４入れ用の箱などの小物１６が出し入れ自在に収容される。
【００２０】
上記投球機本体５は、上記台車３の車台９の揺動台１３の前部上面に締結具１９により着脱自在に締結されて取り付けられ、つまり、上記台車３を介し地面２上に設置される支持台２０と、この支持台２０に対し、左右に延びる軸心２１回りに回動自在となるよう左右一対の軸受２２により支承される回動軸２３と、この回動軸２３からその径方向外方に向って突出する投球アーム２４とを備えている。
【００２１】
上記投球アーム２４は、この投球アーム２４の基部側を構成して上記回動軸２３に突設される投球アーム本体２６と、上記投球アーム２４の突出端部を構成して上記投球アーム本体２６の突出端部に一体成形され上記球４が載置可能とされる球受部２７とを備えている。この球受部２７はその基材が金属板製とされ、この基材において球４を載置させる側の面に摩擦材が貼り付けられている。
【００２２】
上記投球機１は、上記回動軸２３から後上方に突出する「第１姿勢」（図１中一点鎖線）の上記投球アーム２４が、上記回動軸２３の上方を通りこの回動軸２３から前下方に突出する「第２姿勢」（図１中二点鎖線）になるまで、上記投球アーム２４を高速で往回動Ｂさせるようこの投球アーム２４と上記回動軸２３とを弾性的に付勢するコイルばね２８と、このばね２８の付勢力に抗しながら上記「第２姿勢」の投球アーム２４が上記回動軸２３の下方を通り上記「第１姿勢」に戻るまで、上記投球アーム２４を復回動Ｃさせるようこの投球アーム２４と上記回動軸２３とを回動させる駆動手段２９とを備え、上記投球アーム２４の往回動Ｂにより、上記球受部２７に載置されていた球４が前方に向って投球Ｄされるようになっている。
【００２３】
上記の場合、投球アーム２４の復回動Ｃの途中において、この投球アーム２４が上記回動軸２３から後方に向ってほぼ水平に突出する「球載置姿勢」（図１中実線）になったとき、上記球受部２７の上面に上記球供給部材６から１つの球４が供給されて載置されるようになっている。
【００２４】
上記投球アーム２４の上記「球載置姿勢」で、上記球受部２７は、上記回動軸２３側に向うに従い下方に向ってわずかに傾斜する上面を有してこの上面に上記球供給部材６から供給された球４を載置可能とさせる球受部本体３２と、この球受部本体３２の上記回動軸２３側の部分に取り付けられ上記球受部本体３２に載置された球４が上記回動軸２３側に向って所定位置以上に転動することを阻止するストッパ３３とを備えている。
【００２５】
上記投球アーム２４の長手方向（回動軸２３のほぼ径方向）で、上記ストッパ３３の位置が任意位置に調整自在とされている。より具体的には、上記球受部本体３２の上記回動軸２３側の部分に上記投球アーム２４の長手方向に沿って、かつ、所定の等ピッチで複数のボルト挿通孔３５が成形され、上記ストッパ３３は、上記ボルト挿通孔３５のうちのいずれか一つに選択的に挿通されて上記球受部本体３２にナット３６により締結されるボルト部材３７を備え、上記選択により上記ストッパ３３の位置が調整される。この場合、上記ボルト挿通孔３５を雌ねじ孔としてこのボルト挿通孔３５に上記ボルト部材３７をねじ込んで締結させてもよい。
【００２６】
上記ばね２８に関連する構成につき、より具体的に説明すると、上記回動軸２３にその径方向外方に向って付勢アーム３９が突設されている。この付勢アーム３９の突出端部に上記ばね２８の一端部が連結具４０により連結され、上記ばね２８の他端部は他の連結具４１により上記台車３の車台９の揺動台１３に連結されている。
【００２７】
上記連結具４０は、上記回動軸２３の軸心２１とは偏心した位置で、かつ、この軸心２１と平行な軸心回りで、上記ばね２８の一端部と、上記付勢アーム３９とが相対的に回動自在となるようこれら２８，３９を互いに枢支させて互いに連結させている。
【００２８】
上記他の連結具４１は、上記台車３の車台９の揺動台１３に枢支軸４３により上下に回動自在とされる回動アーム４４と、この回動アーム４４を任意の回動位置で上記揺動台１３側に係脱自在に係止させる係止具４５とを備え、上記回動アーム４４の長手方向の中途部に上記ばね２８の他端部が連結されている。そして、図１〜３中実線、もしくは図１中一点鎖線で示すように、上記回動アーム４４を所望の回動位置で上記係止具４５に係止させれば、上記投球アーム２４に対する上記ばね２８の付勢力が強弱調整自在とされている。
【００２９】
上記駆動手段２９は、上記支持台２０に締結具４８により着脱自在に締結されて支持される減速機付の電動機４９と、この電動機４９に上記回動軸２３と投球アーム２４とを連動連結させるチェーン巻掛手段である連動手段５０とを備えている。
【００３０】
上記電動機４９を駆動させれば、上記連動手段５０が上記回動軸２３と投球アーム２４を一体的に回動させ、これに伴い上記投球アーム２４を復回動Ｃさせるようになっている。この投球アーム２４が復回動Ｃさせられて上記「第１姿勢」を越えると、上記回動軸２３と投球アーム２４とは上記連動手段５０にかかわらず上記ばね２８の付勢力により往回動Ｂさせられる。
【００３１】
上記支持台２０は下方に向って開口する直方体形状の箱体５２とされ、この箱体５２の下端部が締結具１９により上記台車３の車台９の揺動台１３に締結されて支持されている。上記箱体５２の内部に上記回動軸２３の軸方向の中途部、各軸受２２、および電動機４９が収容され、上記回動軸２３の軸方向の中途部が上記箱体５２の上部に支承されている。
【００３２】
上記箱体５２の外側方で、上記回動軸２３の一端部に上記投球アーム２４が突設されると共に上記連動手段５０の従動側が支承され、上記回動軸２３の一端部の後方域に上記球供給部材６が配置されている。また、上記箱体５２の外側方で、上記回動軸２３の他端部に上記付勢アーム３９が突設され、上記回動軸２３の他端部の後方域に上記ばね２８と他の連結具４１とが配置されている。
【００３３】
上記箱体５２の後面のほぼ全体にわたり開口５３が形成され、上記箱体５２の後方である外方から上記開口５３を開閉自在に閉じる蓋体５４が設けられ、この蓋体５４は上記箱体５２の開口５３の開口縁と締結具５５により着脱自在に締結されている。上記開口５３を開ければ、この開口５３を通し上記箱体５２の内部に対し上記各軸受２２と電動機４９とがそれぞれ出し入れ自在とされる。
【００３４】
上記球供給部材６は、上記台車３の車台９の揺動台１３の後部上面に締結具５８により着脱自在に締結されて取り付けられその上面に１つだけの球４を保持可能とする球受台５９と、この球受台５９に支持されて上記球受台５９の上面に対し球４を１つずつ供給可能とする供給シュート６０とを備えている。
【００３５】
上記投球機１により球４を投球Ｄさせる場合には、まず、上記球供給部材６の供給シュート６０に球４を供給して、球受台５９の上面に１つの球４を保持させる。次に、上記駆動手段２９を駆動させて、上記投球アーム２４を復回動Ｃさせる。この投球アーム２４の復回動Ｃの途中における「球載置姿勢」で、この投球アーム２４の球受部２７が、上記球供給部材６の球受台５９の上面に保持されている１つの球４を掬い上げ、これにより、上記球受部２７の上面に上記球供給部材６から１つの球４が載置される。すると、上記球４は上記球受部２７の球受部本体３２上を上記回動軸２３側に転動した後、それ以上の転動は上記ストッパ３３によって防止される。これにより、上記球４は、その中心から上記球受部本体３２の自由端までの載置距離Ｅが所定寸法に定められる。
【００３６】
上記駆動手段２９の駆動により、上記投球アーム２４が更に復回動Ｃして上記「第１姿勢」を越えると、この投球アーム２４はばね２８の付勢力により高速で往回動Ｂし、この往回動Ｂで付勢された球４が前方に向って投球Ｄされる。
【００３７】
上記の投球Ｄの後、上記投球アーム２４は上記「第２姿勢」まで往回動Ｂさせられ、その後、再び復回動Ｃさせられて、以下、上記投球機１の投球機本体５の投球動作が繰り返される。
【００３８】
上記の場合、ねじジャッキ１４への操作により揺動台１３の傾斜角を調整すれば、上記投球機本体５による投球Ｄの方向が高、低調整自在とされる。また、上記他の連結具４１の回動アーム４４を所望の回動位置にさせて上記ばね２８の付勢力を調整すれば、上記投球アーム２４の往回動Ｂ時の速度が調整されて、投球Ｄされる球速が調整される。
【００３９】
また、上記ストッパ３３の位置を所望位置に調整して、上記球受部２７の球受部本体３２に載置された球４の中心から上記球受部本体３２の自由端までの載置距離Ｅを調整すれば、球４は曲がりが大、小の各種の放物線を描くこととなるが、これについては後述する。
【００４０】
即ち、上記各調整を種々組み合わせれば、目的域に達したときの球４の高低、球速、および放物線の曲がりの大小という種々の球種を選択できるのであり、このため、投球機１によって、投球された球４に対し打撃練習をしようとするとき、上記球種を選択することにより、所望の打撃練習ができることとなる。
【００４１】
上記構成によれば、地面２上を移動自在とされる台車３と、この台車３に支持され外部から１つずつ供給される球４を順次前方に向って投球可能とする投球機本体５と、この投球機本体５に上記球４を１つずつ供給可能とする球供給部材６とを備え、
【００４２】
上記投球機本体５が、上記台車３に取り付けられる支持台２０と、この支持台２０に対し左右に延びる軸心２１回りに回動自在となるよう支承される回動軸２３と、この回動軸２３からその径方向の外方に向って突出しその突出端部の球受部２７に球４が載置可能とされる投球アーム２４と、上記回動軸２３から後方に突出する「第１姿勢」の上記投球アーム２４が上記回動軸２３の上方を通りこの回動軸２３から前方に突出する「第２姿勢」になるまで、上記投球アーム２４を高速で往回動Ｂさせるよう付勢するコイルばね２８と、上記「第２姿勢」の投球アーム２４が上記回動軸２３の下方を通り上記「第1姿勢」に戻るまで、上記ばね２８の付勢力に抗しながら上記投球アーム２４を復回動Ｃさせるよう回動させる駆動手段２９とを備え、
【００４３】
上記投球アーム２４の往回動Ｂにより、上記球受部２７に載置されていた球４を前方に向って投球Ｄさせるようにした野球練習用のアーム式投球機１において、
【００４４】
上記支持台２０、回動軸２３、投球アーム２４、および駆動手段２９を一体的な組立体６３とし、この組立体６３と、上記球供給部材６とをそれぞれ上記台車３に対し個別に取り付け可能としてある。
【００４５】
このため、投球機１の組立作業をするときには、まず、上記組立体６３と球供給部材６の各構成部品をそれぞれ作業空間の広いところで、個別に組み立てればよく、これによれば、組立体６３と球供給部材６の各構成部品が互いに邪魔し合うということが避けられて、この組み立てが容易にできる。そして、次に、上記のように個別に組み立てた上記組立体６３と球供給部材６とを上記台車３に順次取り付ければよい。
【００４６】
よって、投球機１の組立作業において、最終的にコンパクトに配置されるこの投球機１の各構成部品を、単に順次組み付けていた従来の技術に比べて、上記構成によれば、投球機１の組立作業はより容易にできる。
【００４７】
また、前記したように、支持台２０に支承された上記回動軸２３に付勢アーム３９を突設し、この付勢アーム３９に上記ばね２８の一端部を連結し、このばね２８の他端部を上記台車３に連結してある。
【００４８】
ここで、前記従来の技術では、ばねは、支持台に支承された回動軸の付勢アームと、上記支持台とに架設されていて、この支持台は上記ばねの長さに応じて大きくさせることが求められたが、上記構成によれば、上記ばね２８は上記支持台２０に支承された回動軸２３の付勢アーム３９と、台車３とに架設されていることから、上記支持台２０はばね２８の長さにかかわらず、その形状を定めることができ、つまり、上記ばね２８の長さに応じて上記支持台２０を大きくさせるということは不要とされる。
【００４９】
よって、上記ばね２８を長くしても、上記支持台２０は小さいままに保つことができ、その分、上記投球機１を、より小型にさせることができる。
【００５０】
また、前記したように、駆動手段２９が、上記支持台２０に支持される電動機４９と、この電動機４９に上記回動軸２３を連動連結させる連動手段５０とを備えた野球練習用のアーム式投球機において、
【００５１】
上記支持台２０を箱体５２とし、この箱体５２の内部に上記電動機４９を収容してある。
【００５２】
このため、投球機１により投球Ｄされた球４が打撃されたとき、この球４が上記電動機４９に衝突するということは上記箱体５２によって防止され、上記衝突による上記電動機４９の損傷は防止される。
【００５３】
ここで、上記箱体５２は上記回動軸２３を支承するための支持台２０を利用したものであり、また、この支持台２０は上記回動軸２３や、これに突設される投球アーム２４等を強固に支持するため、十分の強度と剛性とを有しているものである。
【００５４】
よって、上記電動機４９の損傷の防止は、簡単な構成により、かつ、より確実に達成される。
【００５５】
また、前記したように、回動軸２３の軸方向の中途部を上記箱体５２に支承させ、上記回動軸２３の一端部に上記投球アーム２４を支持させ、上記回動軸２３の他端部に上記付勢アーム３９を支持させ、上記箱体５２の後面にこの箱体５２の内部に対し上記電動機４９を出し入れ自在とさせる開口５３を成形し、上記箱体５２の後方から上記開口５３を開閉自在に閉じる蓋体５４を設けてある。
【００５６】
このため、上記投球アーム２４、およびこの投球アーム２４に球４を供給する球供給部材６と、上記付勢アーム３９、およびこの付勢アーム３９に連結されるばね２８とは、左右に振り分けられ、これらの間の空間６５に向って上記開口５３が開くようこの開口５３が位置することとなる。
【００５７】
よって、上記開口５３を通しての電動機４９の出し入れの作業は上記空間６５を通して容易にでき、このため、前記したように支持台２０を箱体５２にすることにより電動機４９の損傷を防止させるようにした場合でも、上記投球機１の組立作業は容易にできる。
【００５８】
また、前記したように、地面２上に設置される支持台２０に対し左右に延びる軸心２１回りに回動自在となるよう支承される回動軸２３と、この回動軸２３から径方向の外方に向って突出しその突出端部が球受部２７とされた投球アーム２４とを備え、上記回動軸２３からその後方に向ってほぼ水平に突出する上記投球アーム２４の球載置姿勢で、上記球受部２７が、上記回動軸２３側に向うに従い下方に向って傾斜する上面を有してこの上面に球４を載置可能とさせる球受部本体３２と、この球受部本体３２の上記回動軸２３側の部分に取り付けられ上記球受部本体３２に載置された球４が上記回動軸２３側に向って所定位置以上に転動することを阻止するストッパ３３とを備え、上記投球アーム２４を上記球載置姿勢にさせた後、上記回動軸２３の上方を通り前方に向って高速回動させることにより、上記球受部２７に載置されていた球４を前方に向って投球させるようにした野球練習用のアーム式投球機において、
【００５９】
上記投球アーム２４の長手方向で上記ストッパ３３の位置を任意位置に調整自在としてある。
【００６０】
このため、上記ストッパ３３の位置を所望位置に調整し、上記球受部２７の球受部本体３２に載置されて上記ストッパ３３により転動が阻止された球４の中心から上記球受部本体３２の自由端までの載置距離Ｅを調整すれば、次のような球種が得られる。つまり、上記載置距離Ｅを短く（もしくは長く）すれば、上記投球アーム２４が高速で往回動Ｂするとき、上記球受部２７に載置されていた球４は早い目に（もしくは遅れて）この球受部２７から放出されることとなり、これにより、上記投球機本体５からの球４の投球方向の仰角が大きく（もしくは小さく）なり、かつ、この投球Ｄされた球４は速度が遅く曲がりの大きい（もしくは速度が少し速く曲がりの小さい）放物線を描くこととなる。
【００６１】
よって、投球機１によって投球Ｄされる球４が曲がりの大きい放物線、もしくは小さい放物線を描くという各球種のうち、いずれかを選択するという操作は、上記ストッパ３３の位置を単に調整することにより達成されるのであり、このため、上記した球種の選択のための操作は容易にできる。
【００６２】
また、前記したように、球受部本体３２の上記回動軸２３側の部分に、上記投球アーム２４の長手方向に沿って複数のボルト挿通孔３５を成形し、上記ストッパ３３が、上記ボルト挿通孔３５のうちのいずれかに選択的に挿通されて上記球受部本体３２に締結されるボルト部材３７を備えている。
【００６３】
ここで、上記ボルト挿通孔３５にボルト部材３７を挿通させてこのボルト部材３７を上記球受部本体３２に固着させる、という操作は極めて簡単であることから、この操作によって達成される上記ストッパ３３の位置の調整は極めて容易にできる。
【００６４】
よって、その分、上記した球種の選択のための操作はより容易にでき、また、上記ボルト部材３７は軽いものであるため、上記操作は軽快にすることができる。
【００６５】
しかも、上記ボルト挿通孔３５やボルト部材３７は構成が極めて単純なものであることから、その分、上記した球種の選択の操作を容易にさせるということは、簡単な構成によって達成される。
【００６６】
なお、以上は図示の例によるが、ばね２８は複数本設けてもよい。また、上記ボルト挿通孔３５は上記投球アーム２４の長手方向に沿って長く延びる長孔であってもよく、上記ボルト挿通孔３５の長手方向の任意位置に上記ボルト部材３７を締結させることにより、上記ストッパ３３の位置を調整するようにしてもよい。
【００６７】
【発明の効果】
本発明による効果は、次の如くである。
【００６８】
請求項１の発明は、地面上に設置される支持台に対し左右に延びる軸心回りに回動自在となるよう支承される回動軸と、この回動軸から径方向の外方に向って突出しその突出端部が球受部とされた投球アームとを備え、上記回動軸からその後方に向ってほぼ水平に突出する上記投球アームの球載置姿勢で、上記球受部が、上面に球を載置可能とさせる球受部本体と、この球受部本体の上記回動軸側の部分に取り付けられ上記球受部本体に載置された球が上記回動軸側に向って所定位置以上に転動することを阻止するストッパとを備え、上記投球アームを上記球載置姿勢にさせた後、上記回動軸の上方を通り前方に向って高速回動させることにより、上記球受部に載置されていた球を前方に向って投球させるようにした野球練習用のアーム式投球機において、
【００６９】
上記投球アームの長手方向で上記ストッパの位置を任意位置に調整自在としてある。
【００７０】
このため、上記ストッパの位置を調整し、上記球受部の球受部本体に載置されて上記ストッパにより転動が阻止された球の中心から上記球受部本体の自由端までの載置距離を調整し、例えば、この載置距離を短く（もしくは長く）すれば、上記投球アームが高速回動するとき、上記球受部に載置されていた球は早い目に（もしくは遅れて）この球受部から放出されることとなり、これにより、上記投球機本体からの球の投球方向の仰角が大きく（もしくは小さく）なり、かつ、この投球された球は速度が遅く曲がりの大きい（もしくは速度が少し速く曲がりの小さい）放物線を描くこととなる。
【００７１】
よって、投球機によって投球される球が曲がりの大きい放物線、もしくは小さい放物線を描くという各球種のうち、いずれかを選択するという操作は、上記ストッパの位置を単に調整することにより達成されるのであり、このため、上記した球種の選択のための操作は容易にできる。
【００７２】
また、上記球受部本体の上記回動軸側の部分に、上記投球アームの長手方向に沿って複数のボルト挿通孔を成形し、上記ストッパが、上記ボルト挿通孔のうちのいずれかに選択的に挿通されて上記球受部本体に締結されるボルト部材を備えている。
【００７３】
ここで、上記ボルト挿通孔にボルト部材を挿通させてこのボルト部材を上記球受部本体に固着させる、という操作は極めて簡単であることから、この操作によって達成される上記ストッパの位置の調整は極めて容易にできる。
【００７４】
よって、その分、上記した球種の選択のための操作はより容易にでき、また、上記ボルト部材は軽いものであるため、上記操作は軽快にすることができる。
【００７５】
しかも、上記ボルト挿通孔やボルト部材は構成が極めて単純なものであることから、その分、上記した球種の選択の操作を容易にさせるということは、簡単な構成によって達成される。
【図面の簡単な説明】
【図１】  投球機の全体側面図である。
【図２】  投球機の全体正面図である。
【図３】  投球機の全体平面部分断面図である。
【図４】  図１の部分拡大断面図である。
【図５】  図４の５‐５線矢視断面図である。
【図６】  図３の部分拡大詳細図である。
【符号の説明】
１      投球機
２      地面
３      台車
４      球
５      投球機本体
６      球供給部材
１９    締結具
２０    支持台
２１    軸心
２３    回動軸
２４    投球アーム
２６    投球アーム本体
２７    球受部
２８    ばね
２９    駆動手段
３２    球受部本体
３３    ストッパ
３５    ボルト挿通孔
３６    ナット
３７    ボルト部材
３９    付勢アーム
４８    締結具
４９    電動機
５０    連動手段
５２    箱体
５３    開口
５４    蓋体
５５    締結具
５８    締結具
６３    組立体
６５    空間
Ｂ      往回動
Ｃ      復回動
Ｄ      投球
Ｅ      載置距離
【図１】
0003912587.tif 000002
【図２】
0003912587.tif 000003
【図３】
0003912587.tif 000004
【図４】
0003912587.tif 000005
【図５】
0003912587.tif 000006
【図６】
0003912587.tif 000007